(57)【特許請求の範囲】
【請求項１】
格子状に複数の突起電極（２０２）を有する半導体部品（２０１）が着脱自在であり、かつ装着された上記半導体部品と検査回路（２５２）とを電気的に接続し、かつ上記複数の突起電極のそれぞれに対応して配置され装着された上記半導体部品の上記突起電極のそれぞれを第１挟持部材（１７１）及び第２挟持部材（１７２）にて挟持して上記半導体部品と上記検査回路とを電気的に導通させる複数の挟持部材（１７０）と、上記挟持部材におけるそれぞれの上記第１挟持部材及び上記第２挟持部材について上記突起電極を挟持可能な挟持準備位置（１７７）に移動させる移動部材（１１０、１３０）とを備えた半導体部品検査用ソケットであって、
上記移動部材は、第１交差部材（１３０−１）と、第２交差部材（１３０−２）と、交差部材移動用部材（１１０）とを備え、
上記第１交差部材は、くし歯状に配列された複数の第１挟持部材用支持部材（１３２）を有し、該第１挟持部材用支持部材のそれぞれは上記挟持部材の上記第１挟持部材に係合し、
上記第２交差部材は、くし歯状に配列されかつ上記第１挟持部材用支持部材に隣接して配置される複数の第２挟持部材用支持部材（１３４）を有し、該第２挟持部材用支持部材のそれぞれは上記挟持部材の上記第２挟持部材に係合し、
上記交差部材移動用部材は、上記第１挟持部材用支持部材及び上記第２挟持部材用支持部材がそれぞれの延在方向に沿って滑動可能に交互に係合された状態の上記第１交差部材及び第２交差部材を取り囲み、かつ当該半導体部品検査用ソケットに装着される上記半導体部品の厚み方向に延在する側壁（１１１）を有する枠体形状にてなり、上記厚み方向のうち挟持用方向（１１９−１）に移動されたとき、上記第１交差部材及び上記第２交差部材の少なくとも一方に接触しかつ接触した上記第１交差部材及び上記第２交差部材の少なくとも一方を上記延在方向に沿って待機位置（１３６）から移動終了位置（１３７）へ移動させて上記第１挟持部材及び上記第２挟持部材を上記挟持準備位置に配置させる交差部材駆動部分（１１１２、５１１２、５１１２１、６１１２、７１１２）を上記側壁に有し、該交差部材駆動部分は、上記交差部材移動用部材が移動する、上記挟持用方向とは逆向きの待機方向に向かって登り傾斜となる傾斜面（１１１２）である、
ことを特徴とする半導体部品検査用ソケット。
【請求項２】
上記挟持部材の上記第１挟持部材及び上記第２挟持部材は、互いに近接し上記突起電極を挟持不可能な近接位置（１７６）に配置される弾性力を有し、上記厚み方向の内上記挟持用方向とは逆向きの待機方向（１１９−２）へ上記交差部材移動用部材を移動させたとき、上記第１挟持部材及び上記第２挟持部材は、上記弾性力により上記近接位置の方へ移動して上記移動終了位置へ移動した上記第１交差部材及び上記第２交差部材の少なくとも一方を上記待機位置の方へ移動させる、請求項１記載の半導体部品検査用ソケット。
【請求項３】
上記半導体部品の上記突起電極が上記挟持部材に対応して位置するように上記半導体部品の位置決めを行う部材であって、上記第１挟持部材用支持部材及び上記第２挟持部材用支持部材が交互に係合した状態の上記第１交差部材及び上記第２交差部材上で、かつ上記交差部材移動用部材の内側に配置されるガイド部材（１２０）をさらに備えた、請求項１又は２記載の半導体部品検査用ソケット。
【請求項４】
それぞれの上記挟持部材における第１挟持部材及び第２挟持部材が通過可能な貫通穴（１５１）を有し、かつ上記第１挟持部材用支持部材及び上記第２挟持部材用支持部材が交互に係合した状態の上記第１交差部材及び上記第２交差部材を支持するとともに上記交差部材移動用部材を支持するベース部材（１５０）と、
上記ベース部材に取り付けられて、上記ベース部材を貫通した上記挟持部材が上記ベース部材から脱落するのを防止する脱落防止部材（１６０）と、をさらに備えた、請求項１ないし３のいずれかに記載の半導体部品検査用ソケット。
【請求項５】
上記ベース部材に取り付けられ、かつ上記交差部材移動用部材が上記挟持用方向に移動され装着可能位置（１１５）に到達したとき係止解除位置（１４５）に位置して当該半導体部品検査用ソケットへの上記半導体部品の装着を可能とし、一方、当該半導体部品検査用ソケットへ上記半導体部品を装着した後、上記交差部材移動用部材が上記挟持用方向とは逆向きの待機方向に移動され通常位置（１１４）に配置されたとき係止位置（１４４）に位置し上記第１挟持部材用支持部材及び上記第２挟持部材用支持部材が交互に係合した状態の上記第１交差部材及び上記第２交差部材へ上記半導体部品を保持する保持部材（１４０）をさらに備えた、請求項４に記載の半導体部品検査用ソケット。
【請求項６】
請求項１ないし５のいずれかに記載の半導体部品検査用ソケット（１０１）と、
上記半導体部品検査用ソケットを保持し上記挟持部材と電気的に接続される検査用基板（２５１）と、
上記検査用基板と電気的に接続され上記半導体部品検査用ソケットに装着された半導体部品の検査を行う検査回路（２５２）と、
を備えたことを特徴とする半導体部品検査装置。
【発明の詳細な説明】
【０００１】
【発明の属する技術分野】
本発明は、例えばボールグリッドアレイ（ＢＧＡ）及びピングリッドアレイ（ＰＧＡ）のような、突起電極を有する半導体部品の検査を行うために、該半導体部品が装着され該半導体部品と検査装置とを電気的に接続する半導体部品検査用ソケット、及び該半導体部品検査用ソケットを備えた半導体部品検査装置に関する。
【０００２】
【従来の技術】
半導体部品は、回路基板に実装する前に、動作検査や、導通検査を行う必要があることから、検査回路に取り付けられた検査用ソケットに装着されて、上記検査が実行される。又、上記半導体部品が電気的に検査されている間に、さらに、検査回路及び上記半導体部品を組み合わせたもの全体を、温度が上昇する環境下に設置してもよい。この手順は、検査及びバーンインと呼ばれ、上記ソケットは、検査及びバーンイン用のソケットと呼ばれる。
一方、検査される半導体部品の一つの形態として、半導体部品の一平面を形成する電極形成面に、上記電極に対応して半田の小さいボールが行、列方向に規則的に等間隔に配列された、ボールグリッドアレイ（ＢＧＡ）と呼ばれる半導体部品が存在する。このようなＢＧＡ形態の半導体部品は、インタフェース回路基板上に形成した、上記ＢＧＡ半田ボールに対応して配列されているパッドに、上記半田ボールをリフローはんだ付けすることで、上記インタフェース回路基板に接続される。
【０００３】
このようなＢＧＡ形態の半導体部品を検査するために用いられる従来の検査用ソケットとして、本願出願人が提案した、例えば特表平１０−５１３３０７号公報に開示され、図３５及び図３６に示すような検査用ソケット１０が存在する。該検査用ソケット１０は、大きく分けて、電気的な絶縁材料にてなるベース１１と、カバー１２と、ベース１１とカバー１２との間に設けられる動作メカニズム１３と、接続端子１４とを有する。上記動作メカニズム１３は、２つのブラケット１５、１６と、該ブラケット１５、１６に取り付けられたくし歯状のラック部分２２、２３を有する交差部材１７、１８とを有し、上記ベース１１に支持されている。ブラケット１５、１６のそれぞれは、一対のアーム１９、２０を有してＵ字形の同一形状にてなり、図示するように、互いのアーム１９、２０が交差するように互いに向き合いそれぞれの交差部材１７、１８のラック部分２２、２３を互いに噛み合わせて互いに向き合って配置され、かつ互いに交差するアーム１９、２０のほぼ中央部分に設けた支持ピン２１にて回動自在に連結される。このように構成されることで、上記支持ピン２１を中心としてアーム１９、２０が互いに反対方向に、待機位置と挟持端子開位置との間で回動することで、噛み合っているラック部分２２、２３がそれぞれの延在方向に沿って互いに逆向きに滑動する。
【０００４】
検査されるＢＧＡ形態の半導体部品４０における各半田ボール４１に対応して、上記ベース１１には、上記接続端子１４が圧入されベース１１を貫通している。このような接続端子１４の一端部分は、二股に分かれており上記半田ボール４１を挟持可能である。このような二股構造における一方の挟持端子２４は、上記ラック部分２２に係合しており、他方の挟持端子２５は上記ラック部分２３に係合している。したがって上述のようにラック部分２２、２３の移動方向に応じて挟持端子２４、２５は、上記半田ボール４１を受け入れ可能な挟持準備位置と、それぞれの弾性力により互いに近接した近接位置との間で移動する。尚、挟持端子２４、２５は、通常、上記弾性力により上記近接位置に位置する。
接続端子１４の他端部分は、ベース１１が設置される検査装置に備わる装置側端子に電気的に接続され、接続端子１４を介して上記検査装置と上記半導体部品４０とが電気的に接続可能となる。
尚、図３５では、動作メカニズム１３を明示するためカバー１２を取り外した状態を図示しているが、実際にはカバー１２はベース１１部分に組み込まれ、カバー１２及びベース１１部分は一体的に形成されている。又、図３６では、カバー１２、及びブラケット１７、１８の図示を省略している。
【０００５】
このように構成される検査用ソケット１０の動作について説明する。
上記検査装置に取り付けられた検査用ソケット１０において、カバー１２をベース１１側へ押し下げる。これによりカバー１２に接しており、上記待機位置に位置するアーム１９、２０が矢印４６にて示す方向へ上記挟持端子開位置まで回動し、その結果、図３６に示すようにラック部分２２、２３が矢印４７、４８にて示すように互いに逆方向に移動して、挟持端子２４、２５は、上記近接位置から、自らの上記弾性力に逆らって上記挟持準備位置へ移動する。
このようにカバー１２を押し下げた状態において、検査対象である半導体部品４０について半田ボール４１が挟持端子２４、２５に対向するようにして、半導体部品４０をカバー１２の開口２６に挿入する。これにて各半田ボール４１は、上記挟持準備位置に配置されている各接続端子１４の挟持端子２４、２５間に配置される。
そしてカバー１２の押下を解除すると、各接続端子１４の挟持端子２４、２５は、自らの弾性力により上記近接位置へ戻ろうとし、各半田ボール４１を挟持する。尚、この挟持端子２４、２５の移動により、ラック部分２２、２３も互いに逆方向へ移動する。
以上の動作にて半導体部品４０は、検査用ソケット１０に保持されかつ上記検査装置と電気的に接続される。
【０００６】
【発明が解決しようとする課題】
ところが近年、半導体部品はますます小型化され、それに従い電極密度も向上しており、必然的に、該半導体部品を検査するときに使用される上述の検査用ソケットに対しても小型化が要求される。又、コスト競争が非常に激しい半導体部品分野では、上記検査用ソケットに対する更なる低価格化が要求される。これに対して上述した形態にてなる検査用ソケット１０では、このような時代の変化に対応していくのが困難な場合も生じている。
即ち、検査用ソケット１０では、挟持端子２４、２５による半田ボール４１の挟持動作のため、交差部材１７、１８のラック部分２２、２３を移動させる構造として、アーム１９、２０を有するブラケット１５、１６を設けている。よって、検査用ソケット１０全体の占有面積の内、アーム１９、２０を含みブラケット１５、１６が占める割合は５０％以上となり、検査用ソケット１０の外形寸法が大きくなってしまう。又、アーム１９、２０は金属製であることから、検査用ソケット１０の全重量の内、アーム１９、２０が占める割合は約２５％以上であり、検査用ソケット１０の重量を大きくしている。
又、各半導体部品メーカーによって検査対象となる半導体部品の外形寸法は異なるが、検査用ソケット１０ではカバー１２と、ベース１１及び動作メカニズム１３とが一体的に構成されている。よって、検査対象となる半導体部品の外形寸法が異なれば、検査用ソケット１０の全体を適合する検査用ソケットに取り換える必要がある。
又、検査用ソケット１０では、上述したように、上記接続端子１４は上記ベース１１に圧入しているが、該圧入動作用の治具が必要である。又、接続端子数が１００本前後ありさらにその配置が高密度化してくることで、ベース１１の強度や作業効率の点から、上記圧入動作は困難になってきている。
【０００７】
本発明はこのような問題点を解決するためになされたもので、小型軽量化、製造コスト低減、及び作業効率の向上が可能な、半導体部品検査用ソケット及び半導体部品検査装置を提供することを目的とする。
【０００８】
【課題を解決するための手段】
上記目的を達成するため、本発明の第１態様の半導体部品検査用ソケットは、格子状に複数の突起電極を有する半導体部品が着脱自在であり、かつ装着された上記半導体部品と検査回路とを電気的に接続し、かつ上記複数の突起電極のそれぞれに対応して配置され装着された上記半導体部品の上記突起電極のそれぞれを第１挟持部材及び第２挟持部材にて挟持して上記半導体部品と上記検査回路とを電気的に導通させる複数の挟持部材と、上記挟持部材におけるそれぞれの上記第１挟持部材及び上記第２挟持部材について上記突起電極を挟持可能な挟持準備位置に移動させる移動部材とを備えた半導体部品検査用ソケットであって、
上記移動部材は、第１交差部材と、第２交差部材と、交差部材移動用部材とを備え、
上記第１交差部材は、くし歯状に配列された複数の第１挟持部材用支持部材を有し、該第１挟持部材用支持部材のそれぞれは上記挟持部材の上記第１挟持部材に係合し、
上記第２交差部材は、くし歯状に配列されかつ上記第１挟持部材用支持部材に隣接して配置される複数の第２挟持部材用支持部材を有し、該第２挟持部材用支持部材のそれぞれは上記挟持部材の上記第２挟持部材に係合し、
上記交差部材移動用部材は、上記第１挟持部材用支持部材及び上記第２挟持部材用支持部材がそれぞれの延在方向に沿って滑動可能に交互に係合された状態の上記第１交差部材及び第２交差部材を取り囲み、かつ当該半導体部品検査用ソケットに装着される上記半導体部品の厚み方向に延在する側壁を有する枠体形状にてなり、上記厚み方向のうち挟持用方向に移動されたとき、上記第１交差部材及び上記第２交差部材の少なくとも一方に接触しかつ接触した上記第１交差部材及び上記第２交差部材の少なくとも一方を上記延在方向に沿って待機位置から移動終了位置へ移動させて上記第１挟持部材及び上記第２挟持部材を上記挟持準備位置に配置させる交差部材駆動部分を上記側壁に有し、該交差部材駆動部分は、上記交差部材移動用部材が移動する、上記挟持用方向とは逆向きの待機方向に向かって登り傾斜となる傾斜面である、ことを特徴とする。
【０００９】
又、上記挟持部材の上記第１挟持部材及び上記第２挟持部材は、互いに近接し上記突起電極を挟持不可能な近接位置に配置される弾性力を有し、上記厚み方向の内上記挟持用方向とは逆向きの待機方向へ上記交差部材移動用部材を移動させたとき、上記第１挟持部材及び上記第２挟持部材は、上記弾性力により上記近接位置の方へ移動して上記移動終了位置へ移動した上記第１交差部材及び上記第２交差部材の少なくとも一方を上記待機位置の方へ移動させるように構成することもできる。
【００１０】
又、上記半導体部品の上記突起電極が上記挟持部材に対応して位置するように上記半導体部品の位置決めを行う部材であって、上記第１挟持部材用支持部材及び上記第２挟持部材用支持部材が交互に係合した状態の上記第１交差部材及び上記第２交差部材上で、かつ上記交差部材移動用部材の内側に配置されるガイド部材をさらに備えるように構成することもできる。
【００１１】
又、それぞれの上記挟持部材における第１挟持部材及び第２挟持部材が通過可能な貫通穴を有し、かつ上記第１挟持部材用支持部材及び上記第２挟持部材用支持部材が交互に係合した状態の上記第１交差部材及び上記第２交差部材を支持するとともに上記交差部材移動用部材を支持するベース部材と、
上記ベース部材に取り付けられて、上記ベース部材を貫通した上記挟持部材が上記ベース部材から脱落するのを防止する脱落防止部材と、をさらに備えるように構成することもできる。
【００１２】
又、上記ベース部材に取り付けられ、かつ上記交差部材移動用部材が上記挟持用方向に移動され装着可能位置に到達したとき係止解除位置に位置して当該半導体部品検査用ソケットへの上記半導体部品の装着を可能とし、一方、当該半導体部品検査用ソケットへ上記半導体部品を装着した後、上記交差部材移動用部材が上記挟持用方向とは逆向きの待機方向に移動され通常位置に配置されたとき係止位置に位置し上記第１挟持部材用支持部材及び上記第２挟持部材用支持部材が交互に係合した状態の上記第１交差部材及び上記第２交差部材へ上記半導体部品を保持する保持部材をさらに備えるように構成することもできる。
【００１４】
又、本発明の第２態様にてなる半導体部品検査装置は、上記第１態様の半導体部品検査用ソケットと、
上記半導体部品検査用ソケットを保持し上記挟持部材と電気的に接続される検査用基板と、
上記検査用基板と電気的に接続され上記半導体部品検査用ソケットに装着された半導体部品の検査を行う検査回路と、
を備えたことを特徴とする。
【００１５】
【発明の実施の形態】
本発明の実施形態としての、半導体部品検査用ソケット、及び該半導体部品検査用ソケットを備えた半導体部品検査装置について、図を参照しながら以下に説明する。尚、各図において同じ構成部分については同じ符号を付している。
又、上記半導体部品検査用ソケットに装着され検査される半導体部品として、本実施形態では、例えば図３０に示され、又、上述したＢＧＡ形態の半導体部品２０１を例に採り該半導体部品２０１における突起電極として半田ボール２０２を例に採るが、上記突起電極としては例えば金製のバンプ等であっても良い。要するに、本実施形態の半導体部品検査用ソケットは、格子状に複数の突起電極を有する半導体部品について適用可能である。
【００１６】
図１に示すように、本実施形態の半導体部品検査用ソケット１０１の基本的な構成部分は、交差部材移動用部材１１０、第１交差部材１３０−１、第２交差部材１３０−２、及び挟持部材１７０であり、本実施形態の半導体部品検査用ソケット１０１は、さらに、ベース部材１５０と、ガイド部材１２０と、保持部材１４０と、脱落防止部材１６０とを備えている。尚、第１交差部材１３０−１及び第２交差部材１３０−２を総称して交差部材１３０と記す。
これらの各構成部分は、図２３から図２９に示す手順にて組み立てられ、半導体部品検査用ソケット１０１を構成する。即ち、図２３に示すように、それぞれがベース部材１５０を貫通して格子状に形成されている貫通穴１５１のすべてに対して、ベース部材１５０の裏側から挟持部材１７０を挿通し、その後、図２４に示すようにベース部材１５０の裏面１５０ａに脱落防止部材１６０を取り付ける。脱落防止部材１６０の取り付け後、ベース部材１５０を反転する。反転したベース部材１５０を図２５に示している。次に、ベース部材１５０には、図２６に示すように互いに噛み合った第１交差部材１３０−１及び第２交差部材１３０−２が係合され、該係合後、図２７に示すように保持部材１４０がベース部材１５０に取り付けられる。さらにベース部材１５０には、図２８に示すようにガイド部材１２０がはめ込まれ、最後に、図２９に示すように交差部材移動用部材１１０が取り付けられる。
【００１７】
又、このように構成される半導体部品検査用ソケット１０１について、図３４に示すように、少なくとも一つ、実際には複数個の半導体部品検査用ソケット１０１が検査用基板２５１に取り付けられ、該検査用基板２５１と電気的に接続された検査回路２５２にて、半導体部品検査用ソケット１０１に装着された少なくとも一つの半導体部品２０１について導通、動作等の検査が行われる。図３４に示すように、半導体部品検査用ソケット１０１と、検査用基板２５１と、検査回路２５２とを備えて半導体部品検査装置２５５が構成される。
上述の各構成部分１１０〜１７０について以下に詳しく説明する。
【００１８】
上記挟持部材１７０は、上記半導体部品検査用ソケット１０１に装着された検査対象である半導体部品２０１と上記検査回路２５２とを電気的に接続させる導電性材料、例えば金、銅、アルミニウム等の金属製のピン状にてなる部材であり、図２に示すように、中央部分を構成するＵ字形の断面を有する連結部１７３と、該連結部１７３の一端から延在する第１挟持部材１７１及び第２挟持部材１７２と、連結部１７３の他端から延在する検査用基板接続部１７４と、該検査用基板接続部１７４において連結部１７３の他端近傍に設けられる位置決め突起１７５とを有する。上記第１挟持部材１７１及び第２挟持部材１７２は、それぞれに作用させた弾性力にて、通常状態では図２に示すように互いに近接した近接位置１７６に位置する。このような挟持部材１７０は、上記半導体部品２０１の突起電極２０２を第１挟持部材１７１及び第２挟持部材１７２にて挟持可能なように、突起電極２０２に対応するように配置される。
【００１９】
上述のように構成される挟持部材１７０は、図２３を参照し上述したように、ベース部材１５０に格子状に形成された貫通穴１５１に対してベース部材１５０の裏面１５０ａ側から、図３に示すように第１挟持部材１７１及び第２挟持部材１７２を先頭にして挿入される。尚、図３において、挟持部材１７０はベース部材１５０に比して拡大して図示している。
上記貫通穴１５１の配列は、当該半導体部品検査用ソケット１０１に装着される半導体部品２０１の突起電極２０２の配列に対応しており、上記半導体部品２０１の場合、約１００個の突起電極２０２が格子状に配列されていることから、貫通穴１５１も約１００個格子状に配列されている。尚、上記半導体部品２０１は、ほぼ４辺形でありその一辺が例えば５〜１５ｍｍ程度で、約１ｍｍ厚の大きさにてなる。又、貫通穴１５１は、上記近接位置１７６に位置する第１挟持部材１７１及び第２挟持部材１７２、並びに連結部１７３が容易に通過可能な程度の大きさにてなり、よって挟持部材１７０の位置決め用突起１７５は該貫通穴１５１を通過できない。但し、貫通穴１５１には、図４に示すように、ベース部材１５０の裏面１５０ａ側にて、上記位置決め用突起１７５のみを収納可能な凹部１５１１が設けられている。よって、貫通穴１５１に挿入された挟持部材１７０は、位置決め用突起１７５が凹部１５１１に係合してそれ以後の挿入が禁止される。この状態では、図４に示すように第１挟持部材１７１及び第２挟持部材１７２がベース部材１５０の表面１５０ｂ側に突出し連結部１７３がベース部材１５０に支持されている。
【００２０】
上述のようにベース部材１５０に挿入された挟持部材１７０がベース部材１５０から脱落するのを防止する樹脂製の板材にてなる脱落防止部材１６０には、図５に示すように、、ベース部材１５０の貫通穴１５１に対応する位置にて、挟持部材１７０の検査用基板接続部１７４が貫通可能でかつ上記位置決め用突起１７５が通過不可能な接続部用貫通穴１６１が格子状に形成され、又、先端部分に係合部１６２１を形成したラッチアーム１６２が４箇所に立設されている。よって、ベース部材１５０の裏面側に形成されているラッチアーム挿入穴１５２に、脱落防止部材１６０のラッチアーム１６２を挿入するとともに、脱落防止部材１６０の接続部用貫通穴１６１に上記検査用基板接続部１７４を貫通させて、脱落防止部材１６０をベース部材１５０の裏面１５０ａに取り付ける。尚、脱落防止部材１６０と上記裏面１５０ａとが接した状態で上記ラッチアーム１６２の係合部１６２がラッチアーム挿入穴１５２に形成されている係止部に係合し、脱落防止部材１６０はベース部材１５０の裏面１５０ａに固定される。脱落防止部材１６０がベース部材１５０に固定された状態にて、図４に示すように挟持部材１７０の検査用基板接続部１７４が脱落防止部材１６０より突出している。
【００２１】
上述のように挟持部材１７０の位置決め用突起１７５は脱落防止部材１６０の接続部用貫通穴１６１を通過できないので、脱落防止部材１６０がベース部材１５０に固定されることで、挟持部材１７０がベース部材１５０から脱落するのを防止できる。
又、当該半導体部品検査用ソケット１０１では、従来のような圧入動作による接続端子１４の取り付けを採用せず、挟持部材１７０が容易に貫通可能な貫通穴１５１、上記位置決め用突起１７５、及び脱落防止部材１６０の構成を採ったことより、従来、別途必要であった圧入用の治具は不要となり、挟持部材１７０の取り付け作業が従来に比べて容易になり作業効率の向上を図ることができる。又、圧入動作が不要であることから、圧入動作により生じる部材の損傷等を防止でき、さらに半導体部品２０１の突起電極２０２の狭ピッチ化にも容易に対応することが可能となる。
【００２２】
ベース部材１５０は、図６に示すような形状にてなり絶縁性の樹脂にて形成される成形体であり、上述のように挟持部材１７０及び脱落防止部材１６０が取り付けられる他、交差部材１３０、保持部材１４０、ガイド部材１２０、及び交差部材移動用部材１１０が取り付けられる。ベース部材１５０には、上述の貫通穴１５１、ラッチアーム挿入穴１５２の他に、位置決め用ポスト１５３、交差部材ラッチアーム挿入穴１５４、保持部材取付部１５５、ガイド部材ラッチアーム挿入穴１５６、移動用部材ラッチアーム挿入溝１５７、移動用部材案内溝１５８が備わる。
上記位置決め用ポスト１５３は、当該ベース部材１５０を検査用基板２５１に取り付けるための部材であり、ベース部材１５０の四角にて裏面１５０ａより突出している。符号１５４〜１５８にて示す部分は、以下に説明する各部材をベース部材１５０に取り付ける際のガイドや、支持用の係合を行う部分である。
【００２３】
交差部材１３０は、絶縁性の樹脂材にて、図１に示すように第１交差部材１３０−１と第２交差部材１３０−２とから構成される部材であり、詳細後述するように挟持部材１７０の第１挟持部材１７１と第２挟持部材１７２とを挟持準備位置１７７に押し広げる部材である。尚、第１交差部材１３０−１及び第２交差部材１３０−２は、互いに同形状であり同機能を有するので、図７を参照して主に第１交差部材１３０−１について説明する。
【００２４】
第１交差部材１３０−１は、大きく分けて、第１フレーム部材１３１１−１と第２フレーム部材１３１２−１とを大略Ｌ字形に一体的に成形したフレーム部材１３１−１と、第２フレーム部材１３１２−１と平行にて第１フレーム部材１３１１−１からくし歯状に配列された第１挟持部材用支持部材１３２と、ベース部材１５０の交差部材ラッチアーム挿入穴１５４に対応して配置され上記挿入穴１５４に挿入されるラッチアーム１３３とを有し、これらの構成部分１３１−１、１３２、１３３は一体的に成形されている。
第１挟持部材用支持部材１３２には、図１０に示すように、その延在方向に沿った両側に、挟持部材１７０の配列ピッチに対応した間隔にて、上記挟持部材１７０の第１挟持部材１７１を保持可能な凹部状にてなり第１挟持部材１７１と係合する第１挟持部材用係合部１３２１が形成されている。尚、上述のように挟持部材１７０は第１挟持部材１７１及び第２挟持部材１７２を有するが、図１０では、図示の混乱を避けるため、第２挟持部材１７２の図示を省略している。
【００２５】
又、後述の動作説明でも記すが、図１１及び図１２に示すように、交差部材１３０は、上記交差部材移動用部材１１０の挟持用方向１１９−１への移動に伴い矢印１３５−１、１３５−２方向へ移動する。尚、図１１及び図１２では、交差部材移動用部材１１０及び交差部材１３０について図示を簡略化し、模擬的に示している。
交差部材１３０に対して該移動を行わせるため、交差部材１３０には、交差部材移動用部材１１０との接触部分に移動用係合部１３１３が設けられている。上記第１交差部材１３０−１では、図７に示すように、第１フレーム部材１３１１−１における突出部分が上記移動用係合部１３１３に相当する。尚、第１フレーム部材１３１１−１における上記移動用係合部１３１３について「１３１３−１」と付番する。又、移動用係合部１３１３−１では、交差部材移動用部材１１０との接触が滑らかに行われるように、肩部１３１４は円弧状に面取りしている。尚、移動用係合部１３１３−１に形成されている溝部１３１５は、フレーム部材１３１−１の樹脂成形時における変形等を防止するために設けたもので、移動用係合部１３１３−１を複数に分割するためのものではない。よって、他の手法により上記変形等が防止できれば溝部１３１５は不要である。
【００２６】
第２交差部材１３０−２も大きく分けて、フレーム部材１３１−２と、第２挟持部材用支持部材１３４と、ラッチアーム１３３とを有する。フレーム部材１３１−２は、上記フレーム部材１３１−１に対応する部材であり、上記第１フレーム部材１３１１−１に相当する第１フレーム部材１３１１−２と、上記第２フレーム部材１３１２−１に相当する第２フレーム部材１３１２−２とを一体的に形成した部材である。又、上記第１フレーム部材１３１１−２にも、第１フレーム部材１３１１−１の場合と同様に、円弧状に面取りされた肩部１３１４を有する移動用係合部１３１３−２が設けられており、又、溝部１３１５も存在する。
第２挟持部材用支持部材１３４は、上記第１挟持部材用支持部材１３２に相当する部材であり、第２フレーム部材１３１２−２と平行にて第１フレーム部材１３１１−２からくし歯状に配列され、かつ上記第１挟持部材用支持部材１３２に隣接して配置される。このような第２挟持部材用支持部材１３４は、その延在方向に沿った両側に、挟持部材１７０の配列ピッチに対応した間隔にて、凹部状にてなり上記挟持部材１７０の第２挟持部材１７２と係合する第２挟持部材用係合部１３４１が形成されている。
【００２７】
このように構成される第１交差部材１３０−１及び第２交差部材１３０−２は、図８に示すように、第１挟持部材用支持部材１３２と第２挟持部材用支持部材１３４とを交互に噛み合わして、第１挟持部材用支持部材１３２及び第２挟持部材用支持部材１３４の延在方向に沿って互いを近接させ、図９に示すような交差部材１３０を作成する。このようにして形成される交差部材１３０は、上記第１挟持部材用支持部材１３２及び第２挟持部材用支持部材１３４の延在方向、即ち図９に示す矢印１３５方向に沿って、第１挟持部材用支持部材１３２と第２挟持部材用支持部材１３４とが互いに逆向きに滑動可能である。
【００２８】
形成した交差部材１３０は、第１交差部材１３０−１及び第２交差部材１３０−２を待機位置１３６に配置した状態にて、４つのラッチアーム１３３をそれぞれ対応する、ベース部材１５０に形成されている交差部材ラッチアーム挿入穴１５４に挿入する。そして各ラッチアーム１３３の先端部分に形成している係合部１３３１をベース部材１５０に係合させて、交差部材１３０をベース部材１５０に取り付ける。尚、交差部材１３０がベース部材１５０に取り付けられた状態においても、第１交差部材１３０−１及び第２交差部材１３０−２は上記矢印１３５方向に沿って滑動可能である。
【００２９】
さらに、交差部材１３０がベース部材１５０に取り付けられることで、図１０に示すように、それぞれの第１挟持部材用支持部材１３２に形成されているそれぞれの第１挟持部材用係合部１３２１には、それぞれの挟持部材１７０におけるそれぞれの第１挟持部材１７１が係合し、それぞれの第２挟持部材用支持部材１３４に形成されているそれぞれの第２挟持部材用係合部１３４１には、それぞれの挟持部材１７０におけるそれぞれの第２挟持部材１７２が係合している。
上述したように挟持部材１７０の第１挟持部材１７１と第２挟持部材１７２とは自らの弾性力にて、通常、上記近接位置１７６に位置することから、ベース部材１５０に取り付けられた交差部材１３０においても、第１挟持部材１７１と第２挟持部材１７２とが近接位置１７６に位置するように、第１挟持部材用支持部材１３２を有する第１交差部材１３０−１及び第２挟持部材用支持部材１３４を有する第２交差部材１３０−２は互いに移動する。
【００３０】
このようにベース部材１５０に取り付けられた交差部材１３０において、挟持部材１７０の第１挟持部材１７１及び第２挟持部材１７２が近接位置１７６に位置しているときの第１交差部材１３０−１及び第２交差部材１３０−２の配置位置を待機位置１３６とする。又、図３０は、第１挟持部材１７１及び第２挟持部材１７２が近接位置１７６に位置している、即ち第１交差部材１３０−１及び第２交差部材１３０−２が待機位置１３６に位置している状態を図示している。尚、図３０及び図３１では、挟持部材１７０を２本のみ図示しその他の図示を省略している。
【００３１】
又、詳細後述するが、本実施形態では、図１１及び図１２に示すように交差部材移動用部材１１０を矢印１１９−１に示すような下方への移動に伴い、第１交差部材１３０−１が矢印１３５−１方向へ移動し、第２交差部材１３０−２は矢印１３５−２方向へ移動し、第１交差部材１３０−１及び第２交差部材１３０−２はそれぞれ上記待機位置１３６から移動終了位置１３７まで移動する。又、逆に、交差部材移動用部材１１０が上方へ移動することで、第１挟持部材１７１及び第２挟持部材１７２の上記弾性力によって、第１交差部材１３０−１が矢印１３５−２方向へ移動し、第２交差部材１３０−２が矢印１３５−１方向へ移動して、第１交差部材１３０−１及び第２交差部材１３０−２はそれぞれ移動終了位置１３７から待機位置１３６まで移動する。尚、後述するが、交差部材移動用部材１１０の上記上方への移動は、主として、第１挟持部材１７１及び第２挟持部材１７２の上記弾性力により第１交差部材１３０−１及び第２交差部材１３０−２が移動終了位置１３７から待機位置１３６まで移動することによってなされるが、補助的に、ベース部材１５０と交差部材移動用部材１１０との間に、弾性体の一例としてコイル状のスプリング１１６を設け該スプリング１１６の復元力にてなされるようにしても良い。
【００３２】
ここで上記移動終了位置１３７とは、挟持部材１７０の第１挟持部材１７１及び第２挟持部材１７２が挟持準備位置１７７に位置しているときにおける第１交差部材１３０−１及び第２交差部材１３０−２の配置位置をいう。図３１は、第１挟持部材１７１及び第２挟持部材１７２が挟持準備位置１７７に位置している、即ち第１交差部材１３０−１及び第２交差部材１３０−２が移動終了位置１３７に位置している状態を図示している。
又、上記挟持準備位置１７７とは、図１３に示すように第１挟持部材１７１及び第２挟持部材１７２が突起電極２０２を挟持可能な程度に開いた状態における第１挟持部材１７１及び第２挟持部材１７２の位置であり、本実施形態の場合、突起電極２０２の直径が約０．３〜０．７ｍｍ程度であるので、第１挟持部材１７１と第２挟持部材１７２との隙間１７８において約０．５〜１．０ｍｍ程度まで第１挟持部材１７１及び第２挟持部材１７２が開いた状態に相当する。
一方、上記近接位置１７６とは、第１挟持部材１７１及び第２挟持部材１７２が突起電極２０２を挟持できない状態であって、第１挟持部材１７１及び第２挟持部材１７２において弾性力が作用しない状態に第１挟持部材１７１及び第２挟持部材１７２を配置する位置である。
【００３３】
このように第１交差部材１３０−１及び第２交差部材１３０−２の両者が移動可能な範囲は、図９に符号１３８にて示す範囲であり、本実施形態においてその距離は約０．２〜１．０ｍｍである。又、第１交差部材１３０−１の第１フレーム部材１３１１−１と第２交差部材１３０−２の第２フレーム部材１３１２−２とが、並びに第１交差部材１３０−１の第２フレーム部材１３１２−１と第２交差部材１３０−２の第１フレーム部材１３１１−２とがそれぞれ接触することから、移動可能範囲１３８を超えて第１交差部材１３０−１及び第２交差部材１３０−２が移動することはできない。本実施形態では、第１フレーム部材１３１１−１と第２フレーム部材１３１２−２とが、並びに第２フレーム部材１３１２−１と第１フレーム部材１３１１−２とがそれぞれ接触した状態にて、第１交差部材１３０−１及び第２交差部材１３０−２が上記移動終了位置１３７に配置されるように第１交差部材１３０−１及び第２交差部材１３０−２を設計している。したがって、第１挟持部材１７１及び第２挟持部材１７２が上記挟持準備位置１７７を超えて開くことはない。
【００３４】
又、上述のように本実施形態では第１交差部材１３０−１及び第２交差部材１３０−２の両者が移動することから、上記待機位置１３６と上記移動終了位置１３７との間の距離は、本実施形態では、第１交差部材１３０−１及び第２交差部材１３０−２のそれぞれについて、上記移動可能範囲１３８の１／２に相当し、約０．１〜０．５ｍｍである。
【００３５】
ベース部材１５０における２箇所の上記保持部材取付部１５５には、図１及び図１４に示すように、押え部１４１とアーム部１４２とにより大略Ｌ字形にて一体的に成形された樹脂製の保持部材１４０がピン１４３を中心として回動可能にそれぞれ取り付けられる。該保持部材１４０は、当該半導体部品検査用ソケット１０１に半導体部品２０１が装着されたとき、該半導体部品２０１を左右両側から上記押え部１４１にて押下し上記交差部材１３０上へ保持する。又、上記保持部材取付部１５５には、弾性体の一例として本実施形態ではコイル状のスプリング１５５１が設けられており、アーム部１４２のつば部１４２１を付勢している。よって、通常、各保持部材１４０は、図１４に実線にて示すように係止位置１４４に位置する。一方、交差部材移動用部材１１０が矢印１１９−１にて示す挟持用方向へ移動することで、上記つば部１４２１と交差部材移動用部材１１０とが接触、押下され、保持部材１４０はスプリング１５５１の付勢力に逆らってピン１４３を中心として回動し、図１４に２点鎖線にて示すように、係止解除位置１４５に配置される。保持部材１４０が係止解除位置１４５に配置された状態にて、交差部材１３０上へ半導体部品２０１の着脱が可能となる。
又、矢印１１９−１とは逆向きの矢印１１９−２にて示す待機方向へ交差部材移動用部材１１０が移動することで、保持部材１４０はスプリング１５５１の付勢力にてピン１４３を中心として上記係止位置１４４まで回動する。
【００３６】
ガイド部材１２０は、図１、図１５、及び図１６に示すように、開口１２４を形成する大略枠状にてなる樹脂製の部材であり、当該半導体部品検査用ソケット１０１に装着される半導体部品２０１の突起電極２０２が上記交差部材１３０に係合している挟持部材１７０に対応して配置可能なように、上記半導体部品２０１の位置決めを行う。このようなガイド部材１２０は、ガイド部１２１と、ガイド部材ラッチアーム１２２と、取付用ガイドピン１２３とを有する。該ガイド部材１２０は、ガイド部材１２０の左右に設けた取付用ガイドピン１２３をベース部材１５０の対応箇所における係合部分に沿わせて、それぞれのガイド部材ラッチアーム１２２をベース部材１５０の各ガイド部材ラッチアーム挿入穴１５６に挿入することで、上記交差部材１３０上に位置しかつベース部材１５０に固定される。尚、取り付け完了時には、各ガイド部材ラッチアーム１２２の先端部に形成されている係合部１２２１が上記ガイド部材ラッチアーム挿入穴１５６に形成されている係止部に係合し、上記固定が行われる。
【００３７】
上記ガイド部１２１は、当該ガイド部材１２０の開口１２４に面するそれぞれの内面１２５−１〜１２５−４に設けられ、傾斜部１２１１と、位置決め部１２１２とを有する。傾斜部１２１１は、上記半導体部品２０１の装着に際し、上記開口１２４を通して半導体部品２０１が交差部材１３０側へ移動するに従い、半導体部品２０１の側面２０３との隙間が徐々に小さくなる傾斜をなして形成されている。位置決め部１２１２は、上記傾斜部１２１１に連なって形成され、装着された半導体部品２０１の厚み方向に平行な平面にてなり、該半導体部品２０１の側面２０３との間に、隙間１２６を形成する。該隙間１２６は、上記挟持準備位置１７７に配置されている第１挟持部材１７１と第２挟持部材１７２との間に上記突起電極２０２がほぼ配置可能となる隙間であり、又、半導体部品検査用ソケット１０１が検査時に振動した場合に当該半導体部品検査用ソケット１０１に装着されている半導体部品２０１がガタつかない程度の隙間であり、又、半導体部品検査用ソケット１０１及び半導体部品２０１の両者の製造公差を考慮した隙間であり、本実施形態では例えば０．１〜０．３ｍｍ程度である。
【００３８】
このようにガイド部材１２０を設けることで、上記開口１２４に半導体部品２０１を挿入開始したときには、上記挟持準備位置１７７に配置されている第１挟持部材１７１と第２挟持部材１７２との間に突起電極２０２が配置できない位置関係に半導体部品２０１と挟持部材１７０とが存在する場合でも、粗位置調整部としての上記傾斜部１２１１、及び位置微調整部としての位置決め部１２１２によって、装着時には、挟持準備位置１７７の第１挟持部材１７１と第２挟持部材１７２との間に突起電極２０２を配置することができる。
又、従来、サイズの異なる半導体部品を取り扱う場合、ソケット全体を上記サイズに適合するソケットに変更する必要があったが、本実施形態の半導体部品検査用ソケット１０１では、ガイド部材１２０の外形寸法及び外形形状を変更することなく、上記傾斜部１２１１及び位置決め部１２１２の肉厚を変更することで対応可能となる。よって、外形寸法の異なる半導体部品を取り扱う場合であっても、ガイド部材１２０のみを変更すればよく、その他の構成部品はそのまま使用することができる。よって、製造コストの低減を図ることができる。
【００３９】
上記交差部材移動用部材１１０は、図１、図１１、図１２、及び図１７に示すように、上述したようにベース部材１５０にセットされた交差部材１３０及びガイド部材１２０を取り囲み、ガイド部材１２０の上記開口１２４に連通する開口１１３を有する枠体形状にてなる樹脂製の部材であり、さらに、ベース部材１５０にセットされた交差部材１３０における２箇所の上記移動用係合部１３１３に接触する、対向して配置されている一対の側壁１１１と、４つの移動用部材ラッチアーム１１２と、上記保持部材１４０の上記つば部１４２１に接触し保持部材１４０を回動させる回動部１１７とを有する。このような交差部材移動用部材１１０は、以下のようにしてベース部材１５０に取り付けられる。つまり、上記装着状態における半導体部品２０１の上記厚み方向１１９に沿って延在してベース部材１５０に形成されている４つの上記移動用部材ラッチアーム挿入溝１５７に対応して、それぞれの移動用部材ラッチアーム１１２が滑動可能に係合されるとともに、上記厚み方向１１９に沿って延在してベース部材１５０に形成されているそれぞれの上記移動用部材案内溝１５８に対応して上記側壁１１１が滑動可能に係合されて、さらに、ベース部材１５０の四隅に弾性部材、本実施形態ではコイルスプリング１１６を設けて、交差部材移動用部材１１０はベース部材１５０に取り付けられる。
【００４０】
このようにベース部材１５０に取り付けられた交差部材移動用部材１１０は、図１８に示すように、少なくとも通常位置１１４と装着可能位置１１５との間で上記厚み方向１１９に沿って移動可能である。交差部材移動用部材１１０が通常位置１１４から上記挟持用方向１１９−１に移動するときには、補助的な移動力を生じるスプリング１１６の弾性力、及び第１挟持部材１７１及び第２挟持部材１７２の弾性力による交差部材１３０の抗力に逆らって移動し、装着可能位置１１５から待機方向１１９−２への移動は、本実施形態では、上述したように第１挟持部材１７１及び第２挟持部材１７２が挟持準備位置１７７から近接位置１７６へ戻ろうとする復元力、及びスプリング１１６の復元力によって行われる。但し、本実施形態では、移動用部材ラッチアーム１１２が移動用部材ラッチアーム挿入溝１５７に係合した後にあっては、交差部材移動用部材１１０が矢印１１９−２方向へ移動するときには、移動用部材ラッチアーム１１２の先端部に形成されている係合部１１２１と、移動用部材ラッチアーム挿入溝１５７に形成されている係止部１５７１とが干渉するため、上記通常位置１１４を超えて交差部材移動用部材１１０が移動することはなくベース部材１５０から脱落することはない。
又、交差部材移動用部材１１０を装着可能位置１１５から通常位置１１４まで移動させるのに十分な上記復元力を第１挟持部材１７１及び第２挟持部材１７２が有するときには、スプリング１１６を設けない構成にすることもできる。
尚、図１８では、交差部材移動用部材１１０の右半分及び交差部材１３０の第１交差部材１３０−１のみを示し、その他の部分については図示を省略している。
このようにベース部材１５０に取り付けられた交差部材移動用部材１１０は、当該半導体部品検査用ソケット１０１に装着された半導体部品２０１の厚み方向１１９の内、上記挟持用方向１１９−１への移動により、上記第１交差部材１３０−１及び上記第２交差部材１３０−２を互いに近接する方向へ移動させ、よって上記第１挟持部材１７１及び第２挟持部材１７２をそれぞれの弾性力に逆らって上記挟持準備位置１７７に配置させる。該交差部材１３０の移動と挟持部材１７０の移動との関係について以下により詳しく説明する。
【００４１】
上記側壁１１１には、開口１１３に面して、本実施形態では、上記移動用係合部１３１３に接触する平坦部１１１１及び移動用傾斜部１１１２が形成されている。移動用傾斜部１１１２は、「交差部材駆動部分」の機能を果たす一例に相当し、上記待機方向１１９−２へ向かって登り傾斜にて形成されている。したがって、交差部材１３０は、ベース部材１５０の表面１５０ｂ上に載置されており上記厚み方向１１９には移動できないので、図１８に示すように、上記挟持用方向１１９−１に向かって交差部材移動用部材１１０が上記通常位置１１４から上記装着可能位置１１５へ移動することで、上記側壁１１１と、第１交差部材１３０−１の移動用係合部１３１３−１及び第２交差部材１３０−２の移動用係合部１３１３−２との接触位置は、上記平坦部１１１１から上記移動用傾斜部１１１２へ移動していく。その結果、図１１、図１２及び図１８に示すように、移動用傾斜部１１１２によって、第１交差部材１３０−１は矢印１３５−１方向へ、及び第２交差部材１３０−２は矢印１３５−２方向へ、それぞれ待機位置１３６から移動終了位置１３７へ移動する。
よって、上記通常位置１１４とは、上記第１交差部材１３０−１及び第２交差部材１３０−２を待機位置１３６に配置する位置、換言すると、上記第１挟持部材１７１及び第２挟持部材１７２を上記近接位置１７６に配置する位置である。又、上記装着可能位置１１５とは、上記第１交差部材１３０−１及び第２交差部材１３０−２を上記移動終了位置１３７に配置する位置、換言すると、上記第１挟持部材１７１及び第２挟持部材１７２を上記挟持準備位置１７７に配置する位置である。
【００４２】
又、既に説明したように、第１交差部材１３０−１及び第２交差部材１３０−２の上記移動に伴い、図３１に示すように、第１交差部材１３０−１の上記第１挟持部材用支持部材１３２と、第２交差部材１３０−２の上記第２挟持部材用支持部材１３４とが互いに逆向きに滑動することから、第１挟持部材用支持部材１３２に係合している挟持部材１７０の上記第１挟持部材１７１、及び第２挟持部材用支持部材１３４に係合している上記第２挟持部材１７２が近接位置１７６から挟持準備位置１７７へ移動する。
このように、移動用傾斜部１１１２の傾きは、第１交差部材１３０−１及び第２交差部材１３０−２の移動量、換言すれば上記第１挟持部材１７１及び第２挟持部材１７２の開度に関係する。
【００４３】
又、上記挟持用方向１１９−１に向かって交差部材移動用部材１１０が上記通常位置１１４から上記装着可能位置１１５へ移動するとき、上記回動部１１７は、上述のようにベース部材１５０の保持部材取付部１５５に回動可能に取り付けられている保持部材１４０のつば部１４２１に接触し、スプリング１５５１の弾性力に逆らって、ピン１４３を中心として保持部材１４０を上記係止位置１４４から係止解除位置１４５へ回動させる。
【００４４】
上述したように、交差部材移動用部材１１０に移動用傾斜部１１１２を設け、一方、交差部材１３０には移動用係合部１３１３−１、１３１３−２を設け、移動用傾斜部１１１２と移動用係合部１３１３−１、１３１３−２との接触により、交差部材１３０を矢印１３５方向へ移動させるように構成したことから、従来の金属製のアーム１９，２０を有するブラケット１５，１６を排除することができ、半導体部品検査用ソケットの小型、軽量化を図ることができた。具体的には、半導体部品検査用ソケット１０１は、例えば１５×３０ｍｍの大きさ、約５〜１０ｇの重さであり、同一の検査対象半導体部品に対して、従来の検査用ソケットに比べて約１／３〜１／２の面積にてなり、かつ約１／２の重量にてなる。
【００４５】
以上説明したように構成される本実施形態の半導体部品検査用ソケット１０１の使用方法、及び半導体部品検査用ソケット１０１を用いた半導体部品２０１の検査方法について以下に説明する。尚、半導体部品検査用ソケット１０１は、図２３〜図２９を参照して説明したように組み立てられているものとする。
図３４に示すように、検査用基板２５１上には、少なくとも一つの、実際には多数の半導体部品検査用ソケット１０１が例えば格子状に設置される。尚、検査用基板２５１には、上記ベース部材１５０に形成されている上記位置決め用ポスト１５３が圧入可能な挿入穴が設けられており、所定位置の上記挿入穴に位置決め用ポスト１５３を圧入することで半導体部品検査用ソケット１０１の設置が行われる。検査用基板２５１へ半導体部品検査用ソケット１０１が取り付けられることで、ベース部材１５０に植設されている挟持部材１７０の検査用基板接続部１７４と検査用基板２５１に形成されている電極とが電気的に接続される。
【００４６】
その後、スプリング１１６の弾性力によって通常位置１１４に位置する交差部材移動用部材１１０を、作業者又は機械により、挟持部材１７０の弾性力及び上記スプリング１１６の弾性力に逆らって上記挟持用方向１１９−１へ押し下げ、上記装着可能位置１１５に配置させる。該動作により、上述したように、交差部材１３０が上記待機位置１３６から上記移動終了位置１３７へ移動して挟持部材１７０の第１挟持部材１７１及び第２挟持部材１７２が各弾性力に逆らって近接位置１７６から挟持準備位置１７７へ移動し、又、保持部材１４０がスプリング１５５１の弾性力に逆らって上記係止位置１４４から係止解除位置１４５へ回動する。
【００４７】
この状態において、次に、作業者又は機械により、交差部材移動用部材１１０の開口１１３、及びガイド部材１２０の開口１２４に半導体部品２０１が挿入される。このとき、ガイド部材１２０のガイド部１２１に半導体部品２０１が案内されることで、図３２に示すように、突起電極２０２が上記挟持準備位置１７７にある第１挟持部材１７１及び第２挟持部材１７２のほぼ中央位置に配置されて、半導体部品２０１は交差部材１３０上に配置される。
【００４８】
次に、作業者又は機械による交差部材移動用部材１１０の押下動作を解除する。よって交差部材移動用部材１１０は、スプリング１１６の復元力により、上記装着可能位置１１５から上記通常位置１１４へ戻り、第１交差部材１３０−１の移動用係合部１３１３−１及び第２交差部材１３０−２の移動用係合部１３１３−２と、交差部材移動用部材１１０の移動用傾斜部１１１２との接触が解除される。したがって、第１挟持部材１７１及び第２挟持部材１７２の復元力により、第１挟持部材１７１が係合している第１挟持部材用支持部材１３２を有する第１交差部材１３０−１、及び第２挟持部材１７２が係合している第２挟持部材用支持部材１３４を有する第２交差部材１３０−２は、待機位置１３６へ戻ろうとし、図３３に示すように、第１挟持部材１７１及び第２挟持部材１７２は、突起電極２０２を挟持する。該挟持動作により、半導体部品２０１と検査回路２５２とが電気的に接続された状態になる。
又、交差部材移動用部材１１０の回動部１１７と保持部材１４０のつば部１４２１との接触も解除されることから、上記挟持動作とともに、スプリング１５５１の復元力により保持部材１４０が係止解除位置１４５から係止位置１４４へ回動し、半導体部品２０１を交差部材１３０上に保持する。
以上の動作にて、半導体部品検査用ソケット１０１への半導体部品２０１の取り付け動作が終了し、取り付けられた半導体部品２０１に対して検査回路２５２によって所定の検査が実行される。
【００４９】
上記検査終了後、再び、交差部材移動用部材１１０を装着可能位置１１５まで挟持用方向１１９−１へ移動させる。該移動により、上記回動部１１７が上記つば部１４２１に接触して保持部材１４０が係止解除位置１４５へ回動し保持部材１４０による半導体部品２０１の保持が解除され、かつ交差部材１３０が移動終了位置１３７へ配置されることから、第１挟持部材１７１及び第２挟持部材１７２は挟持準備位置１７７に配置され突起電極２０２の挟持を解除する。よって半導体部品２０１は半導体部品検査用ソケット１０１から取り外し可能となり、作業者又は機械により取り出される。
【００５０】
上述した実施形態では、第１挟持部材１７１及び第２挟持部材１７２を挟持準備位置１７７に配置させるため、第１交差部材１３０−１及び第２交差部材１３０−２を移動終了位置１３７に移動させる交差部材駆動部分として、交差部材移動用部材１１０の側壁１１１に移動用傾斜部１１１２を設けたが、上記交差部材駆動部分の構造としてはこれに限定されるものではない。例えば図１９に示すように、上記交差部材１３０に相当する交差部材５３０の第１交差部材５３０−１及び第２交差部材５３０−２に、上記移動用係合部１３１３−１、１３１３−２に相当し傾斜面にてなる移動用係合部５３１３−１、５３１３−２を形成し、一方、上記交差部材移動用部材１１０に相当する交差部材移動用部材５１０の一端部５１１２を上記移動用係合部５３１３−１、５３１３−２に接触するように構成する。該構成において、上記一端部５１１２が上記交差部材駆動部分に相当する。このような変形例においても、交差部材移動用部材５１０を上記挟持用方向１１９−１へ移動させることで、上記一端部５１１２が移動用係合部５３１３−１、５３１３−２に接触し、第１交差部材５３０−１を矢印１３５−１方向へ第２交差部材５３０−２を矢印１３５−２方向へそれぞれ上記移動終了位置１３７へ移動させることができ、第１挟持部材１７１及び第２挟持部材１７２を挟持準備位置１７７に配置させることができる。
【００５１】
さらに図１９に示す構成の変形例として図２０に示す構成を採ることもできる。図２０の構成では、交差部材移動用部材５１００には、移動用係合部５３１３−１、５３１３−２に接触可能な突起部５１１２１を形成している。該構成において、上記突起部５１１２１が上記交差部材駆動部分に相当する。よって、交差部材移動用部材５１００を上記挟持用方向１１９−１へ移動することで、突起部５１１２１が移動用係合部５３１３−１、５３１３−２に接触し、第１交差部材５３０−１を矢印１３５−１方向へ第２交差部材５３０−２を矢印１３５−２方向へそれぞれ上記移動終了位置１３７へ移動させることができ、第１挟持部材１７１及び第２挟持部材１７２を挟持準備位置１７７に配置させることができる。
【００５２】
又、上述した実施形態では、交差部材移動用部材１１０を押し下げる方向である上記挟持用方向１１９−１へ移動させることで、第１挟持部材１７１及び第２挟持部材１７２を挟持準備位置１７７に配置させたが、該構成に限定されるものではない。例えば図２１に示すように、交差部材移動用部材１１０の上記移動用傾斜部１１１２の傾斜方向を逆にした移動用傾斜部６１１２を形成した交差部材移動用部材６１０を用い、該交差部材移動用部材６１０を引き上げる方向に移動させることで、第１交差部材１３０−１を矢印１３５−１方向へ第２交差部材１３０−２を矢印１３５−２方向へそれぞれ上記移動終了位置１３７へ移動させ、第１挟持部材１７１及び第２挟持部材１７２を挟持準備位置１７７に配置させるように構成することもできる。さらに、図２１に示す構成の変形例として、上記図１９及び図２０に示す構成の技術的思想を適用した構造は当業者であれば容易に想到できるであろう。
【００５３】
又、上述した実施形態では、交差部材移動用部材１１０の上記厚み方向１１９への移動により第１交差部材１３０−１及び第２交差部材１３０−２の両者を矢印１３５方向に移動させているが、該構造に限定されるものではない。即ち、交差部材１３０の移動に基づき第１挟持部材１７１及び第２挟持部材１７２を挟持準備位置１７７に配置させればよいことから、図２２に示すように、第１交差部材１３０−１又は第２交差部材１３０−２のいずれか一方のみを、上記待機位置１３６と上記移動終了位置１３７との間で移動させるように、交差部材移動用部材７１０の側壁７１１のいずれか一方に上記移動用傾斜部１１１２に相当する移動用傾斜部７１１２を形成してもよい。尚、図２２では、第１交差部材１３０−１が移動用傾斜部７１１２によって待機位置１３６と移動終了位置１３７との間を移動する構成を示している。又、図２２に示す構成の変形例として、上記図１９〜図２１に示す構成の技術的思想を適用した構造は当業者であれば容易に想到できるであろう。
上記図１９〜図２２では、上記第１交差部材１３０−１及び第２交差部材１３０−２、並びに上記交差部材移動用部材１１０に相当する各部材は、図示を簡略化している。
【００５４】
【発明の効果】
以上詳述したように本発明の第１態様の半導体部品検査用ソケットによれば、第１交差部材、第２交差部材、及び交差部材移動用部材を備え、交差部材移動用部材が半導体部品の厚み方向へ移動したとき、上記第１交差部材及び第２交差部材を待機位置から移動終了位置へ移動させる交差部材駆動部分を上記交差部材移動用部材の側壁に形成した。よって、上記第１交差部材及び第２交差部材について、従来のような、金属製のアームを有するブラケット構造は排除することができる。したがって半導体部品検査用ソケットの小型、軽量化を図ることができるとともに、製造コストの低減を図ることもできる。
【００５５】
又、ベース部材を貫通して取り付けた挟持部材に対して脱落防止部材をベース部材に取り付け挟持部材の脱落を防止するように構成したことから、上記挟持部材を上記ベース部材に取り付けるための治具は必要ない。よって、製造に係る作業効率の向上を図ることができるとともに製造コストの低減を図ることができる。
【００５６】
又、本発明の第２態様の半導体部品検査装置によれば、上記第１態様の半導体部品検査用ソケット、即ち従来のソケットよりも面積的に小さい半導体部品検査用ソケットを備えることから、従来に比べてより多くの半導体部品検査用ソケットを検査用基板に設置することができる。このことは、例えば何万、何十万というように非常に多くの数が生産される半導体部品を検査するに当たり、一度により多くの半導体部品が検査可能となるので、非常に有益である。
【図面の簡単な説明】
【図１】  本発明の実施形態における半導体部品検査用ソケットの分解図である。
【図２】  図１に示す半導体部品検査用ソケットに備わる挟持部材の斜視図である。
【図３】  図１に示す半導体部品検査用ソケットに備わるベース部材への挟持部材の取り付け方法を示す図である。
【図４】  図１に示す半導体部品検査用ソケットに備わるベース部材に挟持部材を取り付けた状態におけるベース部材の断面図である。
【図５】  図１に示す半導体部品検査用ソケットに備わる脱落防止部材の斜視図である。
【図６】  図１に示す半導体部品検査用ソケットに備わるベース部材の斜視図である。
【図７】  図１に示す半導体部品検査用ソケットに備わる第１交差部材の斜視図である。
【図８】  図１に示す半導体部品検査用ソケットに備わる第１交差部材及び第２交差部材の係合状態を説明するための斜視図である。
【図９】  図１に示す半導体部品検査用ソケットに備わる第１交差部材及び第２交差部材の係合を完了した交差部材の斜視図である。
【図１０】  図１に示す半導体部品検査用ソケットに備わる第１交差部材と挟持部材との係合状態を示す斜視図である。
【図１１】  図１に示す半導体部品検査用ソケットに備わる交差部材と交差部材移動用部材との動作関係を説明するための図である。
【図１２】  図１に示す半導体部品検査用ソケットに備わる交差部材と交差部材移動用部材との動作関係を説明するための図である。
【図１３】  図１に示す半導体部品検査用ソケットに備わる挟持部材と、半導体部品の突起電極との位置関係を示す図である。
【図１４】  図１に示す半導体部品検査用ソケットに備わる交差部材移動用部材と保持部材との動作関係を説明するための図である。
【図１５】  図１に示す半導体部品検査用ソケットに備わるガイド部材の斜視図である。
【図１６】  図１に示す半導体部品検査用ソケットに備わるガイド部材の動作を説明するための図である。
【図１７】  図１に示す半導体部品検査用ソケットに備わる交差部材移動用部材の斜視図である。
【図１８】  図１に示す半導体部品検査用ソケットに備わる交差部材移動用部材と交差部材との動作関係を説明するための図である。
【図１９】  図１に示す半導体部品検査用ソケットに備わる交差部材移動用部材及び交差部材の変形例を示す図である。
【図２０】  図１に示す半導体部品検査用ソケットに備わる交差部材移動用部材及び交差部材の別の変形例を示す図である。
【図２１】  図１に示す半導体部品検査用ソケットに備わる交差部材移動用部材及び交差部材のさらに別の変形例を示す図である。
【図２２】  図１に示す半導体部品検査用ソケットに備わる交差部材移動用部材及び交差部材の他の変形例を示す図である。
【図２３】  図１に示す半導体部品検査用ソケットの組み立て手順を説明するための斜視図である。
【図２４】  図１に示す半導体部品検査用ソケットの組み立て手順を説明するための斜視図である。
【図２５】  図１に示す半導体部品検査用ソケットの組み立て手順を説明するための斜視図である。
【図２６】  図１に示す半導体部品検査用ソケットの組み立て手順を説明するための斜視図である。
【図２７】  図１に示す半導体部品検査用ソケットの組み立て手順を説明するための斜視図である。
【図２８】  図１に示す半導体部品検査用ソケットの組み立て手順を説明するための斜視図である。
【図２９】  図１に示す半導体部品検査用ソケットの組み立て手順を説明するための斜視図である。
【図３０】  図１に示す半導体部品検査用ソケットにおいて、挟持部材が近接位置に配置されている状態を示す斜視図である。
【図３１】  図１に示す半導体部品検査用ソケットにおいて、挟持部材が挟持準備位置に配置されている状態を示す斜視図である。
【図３２】  図１に示す半導体部品検査用ソケットにおいて、挟持準備位置に配置されている挟持部材に対して半導体部品の突起電極をはめ込んだ状態を示す斜視図である。
【図３３】  図１に示す半導体部品検査用ソケットにおいて、突起電極を許っ時部材が挟持した状態を示す斜視図である。
【図３４】  図１に示す半導体部品検査用ソケットを用いた半導体部品検査装置の斜視図である。
【図３５】  従来の半導体部品検査用ソケットの斜視図である。
【図３６】  図３５に示す半導体部品検査用ソケットに備わるブラケット部分の斜視図である。
【符号の説明】
１０１…半導体部品検査用ソケット、１１０…交差部材移動用部材、
１１１…側壁、１１４…通常位置、１１５…装着可能位置、
１１９−１…挟持用方向、１１９−２…待機方向、１２０…ガイド部材、
１３０…交差部材、１３０−１…第１交差部材、
１３０−２…第２交差部材、１３２…第１挟持部材用支持部材、
１３４…第２挟持部材用支持部材、１３６…待機位置、
１３７…移動終了位置、１４０…保持部材、１４４…係止位置、
１４５…係止解除位置、１５０…ベース部材、１５１…貫通穴、
１６０…脱落防止部材、１７０…挟持部材、１７１…第１挟持部材、
１７２…第２挟持部材、１７６…近接位置、１７７…挟持準備位置、
２０１…半導体部品、２０２…突起電極、２５１…検査用基板、
２５２…検査回路、
１１１２…移動用傾斜部、５１１２…一端部、
６１１２、７１１２…移動用傾斜部、５１１２１…突起部。
【図１】
0004641079.tif 000002
【図２】
0004641079.tif 000003
【図３】
0004641079.tif 000004
【図４】
0004641079.tif 000005
【図５】
0004641079.tif 000006
【図６】
0004641079.tif 000007
【図７】
0004641079.tif 000008
【図８】
0004641079.tif 000009
【図９】
0004641079.tif 000010
【図１０】
0004641079.tif 000011
【図１１】
0004641079.tif 000012
【図１２】
0004641079.tif 000013
【図１３】
0004641079.tif 000014
【図１４】
0004641079.tif 000015
【図１５】
0004641079.tif 000016
【図１６】
0004641079.tif 000017
【図１７】
0004641079.tif 000018
【図１８】
0004641079.tif 000019
【図１９】
0004641079.tif 000020
【図２０】
0004641079.tif 000021
【図２１】
0004641079.tif 000022
【図２２】
0004641079.tif 000023
【図２３】
0004641079.tif 000024
【図２４】
0004641079.tif 000025
【図２５】
0004641079.tif 000026
【図２６】
0004641079.tif 000027
【図２７】
0004641079.tif 000028
【図２８】
0004641079.tif 000029
【図２９】
0004641079.tif 000030
【図３０】
0004641079.tif 000031
【図３１】
0004641079.tif 000032
【図３２】
0004641079.tif 000033
【図３３】
0004641079.tif 000034
【図３４】
0004641079.tif 000035
【図３５】
0004641079.tif 000036
【図３６】
0004641079.tif 000037